(57)【特許請求の範囲】
【請求項１】
食品を加熱する加熱室と、高周波電磁波を発生させるマグネトロンと、前記マグネトロンからの高周波電磁波を前記加熱室に給電する給電口と、給電口を覆う保護カバーを備え、前記保護カバーは、１ヶ所のコーナーとこれの対角にある対角のコーナーと２ヶ所の残りのコーナーとを有し、前記加熱室壁面に設けたスリットに前記１ヶ所のコーナーを差し込み、前記スリットの対角に設けた前記加熱室壁面を切り起こしたツメで前記対角のコーナーを保持し、前記加熱室壁面に設けられたスリットで作られた外れ防止用ストッパーが有する段差に前記残りのコーナーの１カ所を当て前記保護カバーがはずれないようにすることを特徴とする高周波加熱装置。
【発明の詳細な説明】
【０００１】
【発明の属する技術分野】
本発明は、高周波加熱装置の給電口に設けられた保護カバーの固定手段に関するものである。
【０００２】
【従来の技術】
従来、この種の保護カバーの固定手段としては、図３および図４に示されているように、ビスによる固定や、ツメによる固定のものがあった。
【０００３】
図４において、３は保護カバー、７はビスであり保護カバー３はビス７にて加熱室壁面に固定されている。
【０００４】
図５において、保護カバー３は加熱室壁面に設けられた切り起こされたツメ８により固定されている。
【０００５】
【発明が解決しようとする課題】
しかしながら、前記従来の構成では、ビスにより固定された場合、誤って締め付け不完全でビスが浮いてしまうとそこに電界が集中しスパーク等の不具合が発生する恐れを有していた。
【０００６】
また、ツメによる固定ではツメに挿入する際に、保護カバーを反らさなくてはならないため割れが生じたり、保護カバーの厚みを厚くできないため誤って食器等を保護カバーに当てた場合、割れ等の不具合が発生する恐れを有していた。
【０００７】
本発明は、前記従来の課題を解決するもので、ビスを廃止し、保護カバーを反らすことなく固定するため、スパークや、割れ等の不具合を排した保護カバーの固定手段を有した高周波加熱装置を提供することを目的とする。
【０００８】
【課題を解決するための手段】
前記従来の課題を解決するために、本発明の高周波加熱装置は、給電口をカバーする保護カバーを加熱室壁面に設けたスリットにコーナーを差し込みスリットの対角に設けた切り起こしのツメで押さえ固定し、外れ防止用ストッパーが有する段差に残りのコーナーの１カ所を当てたものである。
【０００９】
これによって、保護カバーの固定にビスを必要とせず、また、固定の際に保護カバーを反らす必要もないため割れが生じる恐れがない。それに、コーナーに設けたストッパーにより、掃除等の際に容易に外れることもない。
【００１０】
【発明の実施の形態】
請求項１に記載の発明は、保護カバーが、１ヶ所のコーナーとこれの対角にある対角のコーナーと残りのコーナーとを有し、前記加熱室壁面に設けたスリットに前記１ヶ所のコーナーを差し込み、前記対角のコーナーをスリットの対角に設けた切り起こされたツメで保持しており、前記残りのコーナーの少なくとも１ヶ所は段差のあるスリットで作られた外れ防止用ストッパーではずれないようにすることにより、保護カバーの固定にビスを必要としないため誤ってビスが浮いた際にスパーク等の発生を防止できる。また、固定の際に保護カバーを反らす必要もないため割れを防止することができる。
【００１１】
【実施例】
以下本発明の実施例について、図面を参照しながら説明する。
【００１２】
（実施例１）
図１は、本発明の実施例１における高周波加熱装置の斜視図を示すものである。
【００１３】
図１において、１は食品を加熱するための加熱室であり、マグネトロンからの高周波電磁波を加熱室に給電するための給電口２を加熱室壁面に設けている。給電口２には、食品カスや蒸気等の浸入を防ぐため、保護カバー３により覆われており、この保護カバーは一般的に低誘電損失のマイカ板や樹脂板等の材料で作られている。
【００１４】
以上のように構成された高周波加熱装置について、以下にその動作、作用を説明する。まず、保護カバー３はコーナーの１ヶ所を加熱室壁面に設けたスリット４に差し込まれておりその対角にある切り起こしで構成したツメ５で押さえられ固定されている。その、作業手順は先にスリット４に保護カバー３のコーナーを差し込んだ後、スライドさせながらツメ５に対角のコーナーを滑りこませる。また、残りのコーナーの１ヶ所には段差のあるスリットで作られたストッパー６があり、保護カバー３をずらして外そうとしてもストッパー６にコーナー端面があたり、保護カバー３が容易に外れないように構成されている。
【００１５】
以上のように、本実施例においては保護カバー３を差し込みとツメの押さえで固定することにより、ビスを必要としないことから、誤ってビスが浮いたときの電界集中によるスパークを防ぐことができる。
【００１６】
また、本実施例では、保護カバーの取り付け作業時に差し込みとスライドにより固定するため保護カバーを反らす必要がないため、厚みを厚くすることも可能であり、作業時や、誤って食器等を当てた時の割れも防止することもできる。
【００１７】
なお、図１はスリットが１ヶ所であるがその下のコーナーにスリットがある場合も同様の効果を得ることはいうまでもない。
【００１８】
（実施例２）
図２は、本発明の実施例２の保護カバーの正面図である。図２において、３ａは保護カバーのＣカット角度、６ｂは加熱室壁面に設けたストッパー角度である。図３は、図２のストッパー要部断面図である。３ｄは保護カバーの厚みであり、６ｃは段差を設けたストッパー開口寸法である。実施例１の構成と異なるところはＣカット角度とストッパー角度を異なった角度にした点と、保護カバーの厚みよりストッパー開口寸法を大きくした点である。なお、実施例１と同一符号のものは同一構造を有し、説明は省略する。
【００１９】
まず、保護カバーは差し込みとスライドで固定される。そのとき、保護カバーのコーナーＣカット部分は段差のあるスリットで構成したストッパー４を越え落ち込む。次に、上記保護カバーを外そうと図中上にスライドすると保護カバー厚み３ｄよりストッパー開口寸法６ｃを大きくしているため保護カバーのコーナー端面はストッパー開口に入り込むかたちとなり外れない。また、保護カバーのＣカット角度とストッパー角度を異なった角度にすることにより、コーナー端面の一部分がガイドとなり、より確実に開口に入り込むかたちとなる。
【００２０】
以上のように、本実施例に置いては保護カバーの厚みよりストッパー開口寸法を大きくしたことと、Ｃカットの角度とストッパーの角度を異なる角度にすることにより、保護カバーを動かした際に端面が確実に開口に入り込むため掃除等の際に容易に外れることを防止できる。
【００２１】
【発明の効果】
以上のように、請求項１に記載の発明によれば、給電口の保護カバーをビス等を使用せず、また作業時に反らす必要もないため電界集中によるスパークや、作業時の割れ等の不具合を防止することができる。
【図面の簡単な説明】
【図１】本発明の実施例１における高周波加熱装置の斜視図
【図２】本発明の実施例２における保護カバーの正面図
【図３】本発明の実施例２におけるストッパー部の要部断面図
【図４】従来の保護カバーの正面図
【図５】従来の保護カバーの正面図
【符号の説明】
３  保護カバー
４  スリット
５  ツメ
６  ストッパー
３ａ  Ｃカット角度
３ｄ  保護カバー厚み
６ｂ  ストッパー角度
６ｃ  ストッパー開口寸法
【図１】
0003620495.tif 000002
【図２】
0003620495.tif 000003
【図３】
0003620495.tif 000004
【図４】
0003620495.tif 000005
【図５】
0003620495.tif 000006